(57)【要約】電子音響装置（１）は、呼出信号（ＣＳ）を発生する呼出信号発生手段（２０）を有し、呼出信号（ＣＳ）を再生する電子音響変換器（９）を有し、呼出信号発生手段（２０）が、所定の周波数（ｆ１，ｆ２，．．．ｆｎ）の基本音信号（ＧＳ１，ＧＳ２，．．．ＧＳｎ）を発生するようそれぞれ適合した少なくとも二つの基本音信号発生段（ＧＴ１，ＧＴ２，．．．．ＧＴｎ）を有し、前記呼出信号発生手段（２０）が、前記基本音信号発生手段を制御自在に駆動するよう作用する制御手段（２１）を有し、その制御手段によって、基本音信号発生段（ＧＴ１，ＧＴ２，．．．．ＧＴｎ）が、所定の時間間隔で駆動され、前記基本音信号発生手段（２０）を、互いに有理比である周波数（ｆ１，ｆ２，．．．ｆｎ）の基本音信号を発生するよう適合し、前記制御手段を、所定の時間間隔内に少なくとも二つの基本音信号発生段（ＧＴ１，ＧＴ２，．．．．ＧＴｎ）を同時に駆動する。
2004516709.tif 000002
【特許請求の範囲】
【請求項１】
信号成分の組合せから構成される呼出信号を発生する呼出信号発生手段を有し、
前記呼出信号が供給されるとともに、前記信号成分から生じた呼出音の組合せとして前記呼出信号を発生する電子音響変換器を有し、
前記呼出信号発生手段が、所定の周波数の基本音信号を発生するようそれぞれ適合した少なくとも二つの基本音信号発生手段を有し、
前記呼出信号発生手段が、前記基本音信号発生手段を制御自在に駆動するよう作用する制御手段を有し、その制御手段によって、基本音信号発生手段が、所定の時間間隔で駆動され、
前記基本音信号発生手段を、互いに有理比である周波数の基本音信号を発生するよう適合し、
前記制御手段を、所定の時間間隔内に少なくとも二つの基本音信号発生手段を同時に駆動するよう実現したことを特徴とする電子音響装置。
【請求項２】
前記基本音信号発生手段の各々を、基本音信号を発生するだけでなく、その基本音に関連した少なくとも一つの同音信号を発生するよう適合させたことを特徴とする請求項１記載の電子音響装置。
【請求項３】
前記基本音信号発生手段の各々を、前記基本音信号に関連した少なくとも７個の同音信号を発生するよう適合したことを特徴とする請求項２記載の電子音響装置。
【請求項４】
前記基本信号発生手段の各々を、前記基本音信号に関連するとともに前記基本音信号の振幅にほぼ一致する振幅を有する少なくとも一つの同音信号を発生するよう適合したことを特徴とする請求項２記載の電子音響装置。
【請求項５】
前記基本信号発生手段の各々を、前記基本音信号に関連するとともに前記基本音信号の振幅にほぼ一致する振幅を有する少なくとも７個の同音信号を発生するよう適合したことを特徴とする請求項３記載の電子音響装置。
【発明の詳細な説明】
【０００１】
技術の分野
本発明は、信号成分の組合せから構成される呼出信号を発生する呼出信号発生手段を有するとともに、前記呼出信号が供給されるとともに、前記信号成分から生じた呼出音の組合せとして前記呼出信号を発生する電子音響変換器を有する電子音響装置に関する。
【０００２】
背景技術
ここで規定したタイプの電子音響装置は、種々の形態のいわゆる移動電話機として市販されており、したがって、既知である。既知の装置において、信号成分（ｃｏｎｓｔｉｔｕｅｎｔ ｓｉｇｎａｌ）、したがって、呼出音は常に連続的に発生し、その結果、呼出音の時間的なシーケンスは、呼出音の組合せを形成し、呼出音の組合せは、リンギングイベントを形成し、これによって、既知の装置のユーザには、到来する呼出の情報が提供される。時間的に連続的に発生した呼出音の周波数は、いわゆるピアノスケール（ｐｉａｎｏ ｓｃａｌｅ）に対応する。すなわち、これは、個々の呼出音を発生するために呼出信号発生手段によって発生するとともに呼出信号を連続的に形成する信号成分の周波数が互いに有理比を生じることを意味する。例えば、第１信号成分は周波数ｆ１＝４４０．００Ｈｚを有し、第２信号成分は周波数ｆ２≒５５４．３７Ｈｚを有し、第３信号成分は周波数ｆ３≒６５９．２６Ｈｚを有し、第４信号成分は周波数ｆ４≒６５９．２６Ｈｚを有する。既知の装置において、この周波数関係及び常に信号成分のみしたがって個々の呼出音のみが時間的に連続して再生される結果、再生される呼出音の組合せに対して最低周波数ｆ１＝４４０．００Ｈｚとなる。その結果、呼出音すなわちリンギングイベントの組合せの音声再生中、既知の装置の多数のユーザによって特に興味を引き付けなく、かつ、心地よく感じない、強くなくて取るに足らない音声の印象が生じる。
【０００３】
発明の開示
本発明の目的は、他の任意の手段をほとんど有することなく簡単な手段によって第１段落で規定したタイプの向上した装置を実現することである。
この目的を達成するために、本発明による電子音響装置は、信号成分の組合せから構成される呼出信号を発生する呼出信号発生手段を有し、
前記呼出信号が供給されるとともに、前記信号成分から生じた呼出音の組合せとして前記呼出信号を発生する電子音響変換器を有し、
前記呼出信号発生手段が、所定の周波数の基本音信号を発生するようそれぞれ適合した少なくとも二つの基本音信号発生手段を有し、
前記呼出信号発生手段が、前記基本音信号発生手段を制御自在に駆動するよう作用する制御手段を有し、その制御手段によって、基本音信号発生手段が、所定の時間間隔で駆動され、
前記基本音信号発生手段を、互いに有理比である周波数の基本音信号を発生するよう適合し、
前記制御手段を、所定の時間間隔内に少なくとも二つの基本音信号発生手段を同時に駆動するよう実現したことを特徴とする。
【０００４】
本発明の特徴を設けることによって、他の任意の手段をほとんど用いることなく簡単な方法により、呼出信号発生手段を用いることによって、少なくとも二つの信号成分が所定の時間間隔で同時に発生することができ、したがって、少なくとも二つの呼出音を本発明による電子音響装置によって同時に再生することができ、その結果、信号成分したがって同時に発生する呼出音の周波数が互いに有理比となるので、ユーザは、少なくとも二つの同時に発生する呼出音だけでなく、少なくとも二つの同時に発生する呼出音の周波数の差に対応する低周波数の少なくとも一つの音を知覚する。したがって、本発明による電子音響装置のユーザは、例えば４４０Ｈｚ〜６ｋＨｚの周波数範囲にある比較的高い周波数を有する、呼出信号発生手段及び電子音響変換器によって実際に生じた呼出音の組合せを聴くだけでなく、主観的な低音も知覚する。下限周波数の呼出音の主観的な知覚を考慮した結果、下限周波数に向かって広がる周波数スペクトルに広げたユーザによって呼出音の組合せを全体的に知覚し、これによって、リンギングイベントが向上する。
【０００５】
本発明による電子音響装置において、非常に好適には、各基本音信号発生手段は、基本音信号に関連した少なくとも一つの同音信号を発生するよう適合し、かつ、少なくとも七つの同音信号が発生する場合には、更に有理である。同音信号、したがって、対応する呼出音を発生することによって、呼出音の組合せを発生することができ、その組合せは、注意を引くのに非常に影響があるという利点を有する。
【０００６】
上記文脈において、更に発生した同音信号が少なくとも関連の基本音信号とほぼ同一振幅を有する場合、特に有理である。これによって、豊かな音色を考慮した非常にめいかくなに経験される呼出音の組合せを実現することができる。
【０００７】
発明を実施するための最良の形態
図１は、本例において移動電話機の形態をとる電気音響装置１を示す。装置１は、信号処理回路２、マイクロコンピュータ３及び電源装置４を有し、電源装置４は、図示しない充電可能な電池を有し、電源電圧Ｖを発生し、その電源電圧Ｖは、給電入力部５及び６を通じて信号処理回路２及びマイクロコンピュータ３に供給される。装置１は、他の回路素子を有するが、本文と関連がないので、これら回路素子を図示しない。
【０００８】
信号処理回路２は、複数の信号を処理する役割を果たす。信号処理回路２は、アンテナ７と、マイクロホン８と、電子音響変換器、すなわち、マイクロホンに接続された拡声器９とを有する。電話呼出中に話されたテキストは、マイクロホン８によってテキスト信号ＴＳ１に変換され、その信号は、信号処理回路２の第１信号処理段１０に供給され、送信に適切な信号を形成するよう第１信号処理段１０に供給される。第１信号処理段１０から供給された信号は、アンテナ７を駆動する第１増幅段１１に供給され、その結果、関連の信号が送信される。電話呼出中、アンテナ７によって受信した信号は、第２信号処理段１２に供給され、第２信号処理段１２は、受信した信号を処理し、次いで、処理した信号を第２増幅段１３に供給し、次いで、第２テキスト信号ＴＳ２を発生し、その信号を、音声再生のために拡声器９に供給する。
【０００９】
信号処理回路２は、加算段１４と、加算段１４の後段に配置されるとともに拡声器９に接続した出力部１６を有する第３増幅器１５とを更に有する。加算段１４及び第３増幅段１５の目的を、後に詳細に説明する。
マイクロコンピュータ３によって、一連の手段及び機能が実現されるが、本例に関連するこれら手段のみを詳細に説明する。
【００１０】
マイクロコンピュータ３によって、信号成分ＥＳ１，ＥＳ２，．．．．．ＥＳｎを組み合わせることによって形成した呼出信号ＣＳを発生するのに適合した呼出信号発生手段２０が実現される。呼出信号発生手段２０によって発生した信号成分ＥＳ１，ＥＳ２，．．．．．ＥＳｎは、加算段１４に供給され、この加算段１４は、供給される信号成分の和を形成し、加算した信号成分を呼出信号ＣＳとして発生し、呼出信号は、第３増幅段１５によって増幅され、最終的には拡声器９に供給される。図１において記号的に示すように、拡声器９は、信号成分ＥＳ１，ＥＳ２，．．．．．ＥＳｎによって発生した呼出音ＣＴ１，ＣＴ２，．．．．ＣＴｎの組合せとして供給される呼出信号ＣＳを音声再生する。
【００１１】
呼出信号発生手段２０は、ｎ個の基本音信号発生手段ＧＴ１，ＧＴ２，．．．．ＧＴｎを有する。例えば、６個の基本音信号発生手段を設ける。しかしながら、６個を超える基本信号発生手段又は６個未満の基本信号発生手段を設けてもよく、例えば、２，３，５，７，８，９，１０又はそれを超える個数の基本音信号発生手段を設けてもよい。基本信号発生手段ＧＴ１，ＧＴ２，．．．ＧＴｎの各々を、所定の周波数ｆ１，ｆ２，．．．．ｆｎの基本音信号ＧＳ１，ＧＳ２，．．．ＧＳｎを発生させるのに適合させる。
【００１２】
呼出信号発生手段２０は、基本音信号発生手段ＧＴ１，ＧＴ２，．．．ＧＴｎを制御自在に駆動する役割を果たす制御手段２１も有し、これによって、基本音信号発生手段ＧＴ１，ＧＴ２，．．．ＧＴｎの各々を、所定の時間間隔Ｔで駆動することができる。本例において、各基本音信号発生手段ＧＴ１，ＧＴ２，．．．ＧＴｎを、同一時間間隔Ｔで駆動することができる。しかしながら、これは必須でない。その理由は、基本音信号発生手段ＧＴ１，ＧＴ２，．．．ＧＴｎの各々に対して駆動時間間隔が互いに相違するよう実現することもできるからである。
【００１３】
好適には、装置１において、呼出信号発生手段２０を、周波数ｆ１，ｆ２，．．．ｆｎを有する基本音信号ＧＳ１，ＧＳ２，．．．ＧＳｎを発生するよう適合させ、周波数ｆ１，ｆ２，．．．ｆｎは、例えば４：５，４：６，４：７５：６，５：７，６：７，６：９，７：８，７：９又は８：９の有理比（ｒａｔｉｏｎａｌ ｒａｔｉｏ）を互いに与える。さらに、装置１の制御手段２１を、制御手段２１が所定の時間間隔Ｔ内に少なくとも二つの基本音信号発生手段ＧＴ１，ＧＴ２，．．．ＧＴｎを同時に駆動するように実現することができる。既に説明したように、駆動時間間隔を互いに等しくする必要がないが、駆動時間隔が所定の最小時間間隔の間重なり合うよう注意する必要がある。その理由は、制御手段２１によって決定された複数の基本音信号発生手段ＧＴ１，ＧＴ２，．．．ＧＴｎが同時に駆動されることが保証されるだけだからである。制御手段２１によって、少なくとも２個の基本音信号発生手段ＧＴ１，ＧＴ２，．．．ＧＴｎを、連続的な間隔ＴＸで起動することができる。
【００１４】
この場合、基本音信号発生手段ＧＴ１，ＧＴ２，．．．．ＧＴｎの各々は、基本音信号ＧＳ１，ＧＳ２，．．．ＧＳｎを発生するだけでなく基本音信号ＧＳ１，ＧＳ２，．．．ＧＳｎに関連した複数例えば７個の基本音信号ＯＳ１’，ＯＳ１’’，．．．ＯＳ１’’’’’’’，ＯＳ２’，ＯＳ２’’，．．．ＯＳ２’’’’’’’，ＯＳｎ’，ＯＳｎ’’，．．．ＯＳｎ’’’’’’’を発生するよう適合する。したがって、本例では、信号成分ＥＳ１，ＥＳ２，．．．ＥＳｎは、基本音信号ＧＳ１，ＧＳ２，．．．ＧＳｎと、統合した（ｉｎｔｅｇｒａｌ）関連の基本音信号の複数の周波数に関連した基本音信号によって形成される。さらに、本例では、基本音信号ＯＳ１’，ＯＳ１’’，．．．ＯＳ１’’’’’’’，ＯＳ２’，ＯＳ２’’，．．．ＯＳ２’’’’’’’，ＯＳｎ’，ＯＳｎ’’，．．．ＯＳｎ’’’’’’’はそれぞれ、少なくとも関連の基本音信号ＧＳ１，ＧＳ２，．．．ＧＳｎの振幅にほぼ対応する振幅を有する。
【００１５】
基本音信号及び基本音信号に重ね合わされた倍音信号（ｈａｒｍｏｎｉｃ ｔｏｎｅ）によって形成される信号成分ＥＳ１，ＥＳ２，．．．ＥＳｎを拡声器９に供給することによって、少なくとも二つであるが好適には二つより多い基本信号が重畳倍音信号とともに発生する度に連続した時間間隔ＴＸが発生し、その結果、そのような合成信号の音声再生の各々の間に、少なくとも二つであるが好適には二つより多い同時に発生する呼出信号ＣＴ１，ＣＴ２，．．．．ＣＴｎによってリンギングイベント（ｒｉｎｇｉｎｇ ｅｖｅｎｔ）が生じ、リンギングイベント中、ユーザは、人間の耳及び人間の脳の錯覚による知覚機能に起因する主観的な低音にも気付く。
【００１６】
これまで、本発明を、移動電話機について説明した。本発明を、他の電子音響装置、例えば、デスクトップ電話機、ページャ、及び複数の呼出音からなるリンギングイベントを必要とする他の任意の電子音響装置に用いることもできる。基本音信号発生手段について説明すると、基本音信号発生手段は、基本音信号に関連した７個の基本音信号のみを発生するよう適合する必要はなく、１，２，３，４，５，６，７，８，９，１０，１１，１２又は１３個の基本音信号を追加してもよく、必要な場合には、更に多くの信号を発生することもできる。さらに、同音信号の振幅は、基本音信号の振幅にほぼ一致する必要なく、同音信号の振幅は、関連の基本音信号の振幅より大きくても小さくてもよい。さらに、基本音信号に関連した同音信号が全て同一振幅を有する必要なく、基本音信号に関連した同音信号が互いに相違する振幅を有してもよい。さらに、仕様が幾分厳格でない装置の変形の場合において、基本音信号発生手段を、一つの基本音信号を発生するたびに適合させることもでき、この場合、信号成分の各々が一つの基本音信号から構成される。
【図面の簡単な説明】
【図１】本発明を実施する電気音響装置を線形的に示すブロック図である。
【国際公開パンフレット】
2004516709.tif 000003
2004516709.tif 000004
2004516709.tif 000005
2004516709.tif 000006
2004516709.tif 000007
2004516709.tif 000008
2004516709.tif 000009
2004516709.tif 000010
2004516709.tif 000011
2004516709.tif 000012
【国際公開パンフレット（コレクトバージョン）】
2004516709.tif 000013
2004516709.tif 000014
【国際公開パンフレット（コレクトバージョン）】
2004516709.tif 000015
2004516709.tif 000016
【国際調査報告】
2004516709.tif 000017
2004516709.tif 000018
2004516709.tif 000019
2004516709.tif 000020